(57)【特許請求の範囲】
【請求項１】
レンズが臨む窓を有する枠状に形成されたプラスチック製の筐体フレームと、この筺体フレームの上部を覆う金属製の外装カバーと、これら筺体フレームと外装カバーとを一体化するための金属製の内部フレームとによって構成された表示部側筺体を備えた携帯端末機器のレンズ保持構造において、
前記レンズの両端部のそれぞれにフランジを設け、前記内部フレームに前記各フランジに当接する二つの当接部を設け、前記レンズを前記筺体フレームの窓に嵌合させ、筺体フレームと外装カバーと内部フレームとを一体化させ表示部側筺体を形成することにより、前記内部フレームの前記当接部と前記筐体フレームの裏面とで前記フランジを挟持し前記レンズを保持することを特徴とする携帯端末機器のレンズ保持構造。
【請求項２】
前記レンズの前記両フランジの間の部位に、前記筺体フレーム内に実装される部品が臨む実装空間を設けたことを特徴とする請求項１記載の携帯端末機器のレンズ保持構造。
【請求項３】
前記二つの当接部を断面クランク状に形成したことを特徴とする請求項１記載の携帯端末機器のレンズ保持構造。
【請求項４】
前記二つの当接部のうちの一方を断面Ｌ字状に形成し、他方を断面クランク状に形成したことを特徴とする請求項１記載の携帯端末機器のレンズ保持構造。
【請求項５】
前記筺体フレームに、前記一方の当接部によって挟持される前記フランジが係合する凹部を設けたことを特徴とする請求項４記載の携帯端末機器のレンズ保持構造。
【発明の詳細な説明】
【技術分野】
【０００１】
本発明は、例えば携帯電話機において、記憶媒体に記録している電話帳等の情報がワイヤレスによって送受信されるＩｒＤＡ素子を覆うレンズの保持構造に関するものである。
【背景技術】
【０００２】
関連の携帯端末機器のレンズ保持構造としては図１０に示すものがある。同図において、１０１はプラスチック製の筺体であって、前面部にレンズ１０２を取り付けるための矩形状に形成された窓１０１ａが設けられており、筺体１０１内の窓１０１ａに隣接した部位には、段部１０１ｂ，１０１ｃと段部１０１ｂに連設されたリブ１０１ｄとが設けられている。レンズ１０２はフレキシブルプリント基板１０３上に実装されたＩｒＤＡ素子１０４を覆うものであって、上下に一対の凸条部１０２ａ，１０２ｂが一体に突設されている。
【０００３】
このような構成において、レンズ１０２を筺体１０１の下方側の開口（図示せず）から筺体１０１内に差し入れ、リブ１０１ｄを弾性変形させながら、凸条部１０２ａを段部１０１ｂ内に圧入することにより、レンズ１０２が窓１０１ａに取り付けられる。このように取り付けられたレンズ１０２は、凸条部１０２ａが段部１０１ｂとリブ１０１ｄとに挟持され、凸条部１０２ｂが段部１０１ｃに係合することにより、筺体１０１の窓１０１ａに取り付けられる。
【発明の開示】
【発明が解決しようとする課題】
【０００４】
上述した関連の携帯端末機器のレンズ保持構造においては、レンズ１０２を保持するためにリブ１０１ｄを設けていることにより、ＩｒＤＡ素子１０４をレンズ１０２に近接させるためには、リブ１０１ｄにＩｒＤＡ素子１０４が干渉しないように、筺体１０１とＩｒＤＡ素子１０４との間に間隔ｌ１を設ける必要がある。このため、筺体１０１の厚みを小さくするのに自ずと限界があり筺体の薄型化に支障をきたしていた。また、リブ１０１ｄによりＩｒＤＡ素子１０４をレンズ１０２に近接させるのに限界があるため、筺体内における他の部品の実装スペースが低減するといった問題もあった。さらに、レンズ１０２を筺体１０１の窓１０１ａに取り付けるのに、窓１０１ａを上下に押し拡げるように弾性変形させながら圧入するため、圧入するための治具が必要になったりして作業性が悪いといった問題もあった。
【０００５】
本発明は上記した従来の問題に鑑みなされたものであり、その目的とするところは、筺体の薄型化を図るとともに、筺体内における部品の実装スペースを増やし、かつ組付けの作業性を向上させた携帯端末機器のレンズ保持構造を提供するところにある。
【課題を解決するための手段】
【０００６】
この目的を達成するために、本発明は、レンズが臨む窓を有する枠状に形成されたプラスチック製の筐体フレームと、この筺体フレームの上部を覆う金属製の外装カバーと、これら筺体フレームと外装カバーとを一体化するための金属製の内部フレームとによって構成された表示部側筺体を備えた携帯端末機器のレンズ保持構造において、前記レンズの両端部のそれぞれにフランジを設け、前記内部フレームに前記各フランジに当接する二つの当接部を設け、前記レンズを前記筺体フレームの窓に嵌合させ、筺体フレームと外装カバーと内部フレームとを一体化させ表示部側筺体を形成することにより、前記内部フレームの前記当接部と前記筐体フレームの裏面とで前記フランジを挟持し前記レンズを保持するものである。
【０００７】
本発明は、前記発明において、前記レンズの前記両フランジの間の部位に、前記筺体フレーム内に実装される部品が臨む実装空間を設けたものである。
【０００８】
本発明は、前記発明のいずれか一つの発明において、前記二つの折曲部を断面クランク状に形成したものである。
【０００９】
本発明は、前記発明のいずれか一つの発明において、前記二つの折曲部のうちの一方を断面Ｌ字状に形成し、他方を断面クランク状に形成したものである。
【００１０】
本発明は、前記発明のいずれか一つの発明において、前記筺体フレームに、前記一方の折曲部によって挟持される前記フランジが係合する凹部を設けたものである。
【発明の効果】
【００１１】
本発明によれば、筺体の天井部にリブが設けられていないため、筺体内に実装される部品と天井部との間の間隔を最小限とすることができるから筺体を薄型化することができる。また、リブが設けられていないため、部品をレンズに近接させて実装することができるから、その分だけ筺体内に他の部品を実装するためのスペースが増大する。さらに、内部フレームを筺体フレームに組み付けるときにレンズも併せて保持されるため、レンズを組付けるための作業性が向上し、かつ組み付けるために新たな部品の必要がないことから部品点数を増やすこともない。
【発明を実施するための最良の形態】
【００１２】
以下、本発明の実施の形態を図に基づいて説明する。図１は本発明に係る携帯電話機を開いた状態を示す斜視図、図２は同じく閉じた状態を示す斜視図、図３は図２におけるIII-III 線断面図、図４は図２におけるIV-IV 線断面図、図５は図２におけるV-V 線断面図、図６は図２におけるVI-VI 線断面図、図７は同じく要部を分解して示す斜視図、図８は同じく筺体フレームの前面部を背面側から視た斜視図である。なお、図３ないし図６は表示部側筺体３のみを図示し、操作部側筺体５は図示を省略している。
【００１３】
図１に全体を符号１で示す携帯端末機としての携帯電話機は、表示用ＬＣＤ２を有する表示部側筺体３と、各種キー釦４を有する操作部側筺体５とを備え、これら両筺体３，５はヒンジ部６を介して折り畳み自在に支持されている。表示部側筺体３は、図２および図３に示すように、プラスッチックによって枠状に形成された筺体フレーム１０と、この筺体フレーム１０の上部を覆う金属製の外装カバー１１と、これら筺体フレーム１０と外装カバー１１とを一体化するための内部フレーム１２と、筺体フレーム１０に取り付けられフレキシブルプリント基板１３を実装する内部フレーム１４とによって概ね構成されている。
【００１４】
内部フレーム１４には、外部からの衝撃から表示用ＬＣＤ２を保護するための凹嵌部１４ａが設けられており、この表示用ＬＣＤ２は、両面テープ１５を介して内部フレーム１４に取り付けられた透明な樹脂スクリーン１６によって覆われている。１７はフレキシブルプリント基板１３上に実装されたＩｒＤＡ素子であって、携帯電話機１内に備えられた記憶媒体（図示せず）に記録している電話帳等の情報がワイヤレスによって送受信される。
【００１５】
筺体フレーム１０の上端部には、図７に示すように前面部と両側部とにわたって段部１０ａが設けられており、前面部１０ｂの中央部には、図３に示すように上記したＩｒＤＡ素子１７に対応するように細長い長方形の窓１０ｃが設けられている。また、筐体フレーム１０の前面部１０ｂの裏面１０ｄの窓１０ｃの両側には、図５および図８に示すように内部フレーム１２の後述する第１の折曲部１２ｂが対接する膨出部１０ｅが設けられている。また、裏面１０ｄの窓１０ｃの一方の端部側には、図６および図８に示すように後述するレンズ２０の第２のフランジ２０ｂが係合する凹部１０ｆが設けられている。
【００１６】
外装カバー１１は、図２に示すように金属の薄板によって長方形に形成されており、前部と両側部との周縁には、上記した筐体フレーム１０の段部１０ａに嵌合する囲い壁１１ａが一体に設けられている。
【００１７】
内部フレーム１２の前端部の中央部には、図７に示すように、筺体フレーム１０の窓１０ｃに対応するように切欠き１２ａが設けられており、この切欠き１２ａの両側には、断面がクランク状に折曲形成され底部１２ｃを有する当接部として機能する第１の折曲部１２ｂが設けられている。内部フレーム１２の切欠き１２ａに位置する部位には、レンズ２０の第２のフランジ２０ｂに対接する断面が逆Ｌ字状に形成された当接部として機能する第２の折曲部１２ｄが設けられている。
【００１８】
レンズ２０は細長い直方体状に形成されており、左右の両端部のそれぞれには、第１のフランジ２０ａと第２のフランジ２０ｂとが一体に設けられている。このレンズ２０のこれら第１および第２のフランジ２０ａ，２０ｂとの間の部位には、後述するＩｒＤＡ素子１７の前端部が臨む実装空間Ａが設けられており、レンズ２０は平面視において略コ字状に形成されている。第２のフランジ２０ｂは第１のフランジ２０ａよりも、長さδだけ筺体フレーム１０の前面部１０ｂ側に位置付けられている。
【００１９】
このような構成において、レンズ２０を筺体フレーム１０の窓１０ｃに嵌合させると、第１のフランジ２０ａが、図４に示すように筺体フレーム１０の前面部１０ｂの裏面１０ｄに対接され、第２のフランジ２０ｂが、図６に示すように前面部１０ｂの凹部１０ｆに嵌合する。この状態で、外装カバー１１の囲い壁１１ａを筺体フレーム１０の段部１０ａに嵌合させることにより、外装カバー１１によって筺体フレーム１０の上部が覆われる。
【００２０】
次いで、内部フレーム１２の第１の折曲部１２ｂを、図５に示すように筺体フレーム１０の膨出部１０ｅに対接させた状態で、内部フレーム１２を接着剤２１を介して外装カバー１１に取り付けることにより、筺体フレーム１０と外装カバー１１と内部フレーム１２とが一体化されて表示部側筺体３が形成される。
【００２１】
このように表示部側筺体３が形成された状態で、内部フレーム１２の第１の折曲部１２ｂが、図４に示すようにレンズ２０の第１のフランジ２０ａに対接し、この第１のフランジ２０ａが第１の折曲部１２ｂと筺体フレーム１０の前面部１０ｂの裏面１０ｄとによって挟持される。同時に、内部フレーム１２の第２の折曲部１２ｄが、図６に示すようにレンズ２０の第２のフランジ２０ｂに対接し、この第２のフランジ２０ｂが第２の折曲部１２ｄと筺体フレーム１０の前面部１０ｂの凹部１０ｆとによって挟持されるため、レンズ２０は筺体フレーム１０の窓１０ｃに臨んだ状態で保持される。この状態で、ＩｒＤＡ素子１７の前端部は図３に示すように、レンズ２０の実装空間Ａに臨む。
【００２２】
このように、内部フレーム１２を筺体フレーム１０に組み付けることにより、レンズ２０がこれら筺体フレーム１０と内部フレーム１２とによって保持されるため、レンズ２０を組付けるための作業性が向上し、かつ既存の内部フレーム１２によって組み付けるため、新たな部品の必要がないことから部品点数を増やすようなこともない。また、レンズ２０を金属製の内部フレーム１２によって保持するようにしたことにより、従来のようにリブ１０１ｄを設ける必要がなくなるため、図３に示すように内部フレーム１２とＩｒＤＡ素子１７との間の間隔ｌ２を最小限とすることができる。また、内部フレーム１２が金属によって形成されているため、内部フレーム１２の厚みを薄くしても十分に強度が得られる。このため、表示部側筺体３の厚みを小さくすることができるから、表示部側筺体３の薄型化を図ることができる。
【００２３】
また、内部フレーム１２の第１および第２の折曲部１２ｂ，１２ｄによって保持されるフランジ２０ａ，２０ｂがレンズ２０の両端部に設けられ、レンズ２０にＩｒＤＡ素子１７の前端部が臨む実装空間Ａが設けられている。このため、レンズ２０に対応した位置に位置付けられるＩｒＤＡ素子１７を、これら第１および第２の折曲部１２ｂ，１２ｄに干渉させることなくレンズ２０に最大限近接させることができるから、表示部側筺体３内における部品の実装スペースを拡げることができる。
【００２４】
また、第１の折曲部１２ｂを断面クランク状に形成したことにより、第１の折曲部１２ｂの強度が向上し、かつ底部１２ｃによって、図４に示すように第１のフランジ２０ａが支承されるからレンズ２０の保持がより堅固になる。さらに、第２のフランジ２０ｂが、図６に示すように筺体フレーム１０の凹部１０ｆに係合していることにより、この凹部１０ｆによって第２のフランジ２０ｂの上下方向への移動が規制されるからレンズ２０の保持がより堅固になる。
【００２５】
図９は本発明の第２の実施の形態の要部を分解して示す斜視図である。この第２の実施の形態においては、第２の折曲部１２ｅを断面逆Ｌ字状に形成するのではなく、第１の折曲部１２ｂと同様に断面クランク状に形成し、レンズ２０の第２のフランジ２０ｃの下端をこの第２の折曲部１２ｅの底部１２ｆによって支承するようにしたものである。このように、第２のフランジ２０ｃを第１の折曲部１２ｂによって第１のフランジ２０ａを保持するのと同じように保持することにより、上述した第１の実施の形態と同様な作用効果が得られる。
【００２６】
なお、本実施の形態においては、レンズ２０を表示部側筺体３に設けた例を説明したが、レンズ２０を操作部側筺体５に設ける場合には同じ構造を採用してもよい。
【図面の簡単な説明】
【００２７】
【図１】本発明に係る携帯電話機を開いた状態を示す斜視図である。
【図２】本発明に係る携帯電話機を閉じた状態を示す斜視図である。
【図３】図２におけるIII-III 線断面図である。
【図４】図２におけるIV-IV 線断面図である。
【図５】図２におけるV-V 線断面図である。
【図６】図２におけるVI-VI 線断面図である。
【図７】本発明に係る携帯電話機の要部を分解して示す斜視図である。
【図８】本発明に係る携帯電話機において、筺体フレームの前面部を背面側から視た斜視図である。
【図９】本発明の第２の実施の形態の要部を分解して示す斜視図である。
【図１０】関連の携帯端末機器のレンズ保持構造の要部を示す断面図である。
【符号の説明】
【００２８】
１…携帯電話機（携帯端末機器）、３…表示部側筺体、５…操作部側筺体、１０…筺体フレーム、１０ｃ…窓、１０ｄ…裏面、１０ｆ…凹部、１１…外装カバー、１２…内部フレーム、１２ｂ…第１の折曲部（当接部）、１２ｄ，１２ｅ…第２の折曲部（当接部）、１７…ＩｒＤＡ素子、２０…レンズ、２０ａ…第１のフランジ、２０ｂ，２０ｃ…第２のフランジ、Ａ…実装空間。
【図１】
0005051645.tif 000002
【図２】
0005051645.tif 000003
【図３】
0005051645.tif 000004
【図４】
0005051645.tif 000005
【図５】
0005051645.tif 000006
【図６】
0005051645.tif 000007
【図７】
0005051645.tif 000008
【図８】
0005051645.tif 000009
【図９】
0005051645.tif 000010
【図１０】
0005051645.tif 000011